(57)【要約】【課題】  拡張されている機能を正確に把握できる複合機を提供する。【解決手段】  コピー機能に、スキャナ機能、ファクス機能、プリンタ機能のいずれかを拡張できる複合機において、拡張機能の名称が印刷され、各機能を起動するためのアプリキー２５〜２９を、拡張機能に応じて操作・表示手段５に取り付けられるように構成した。【選択図】  図２
2006229716.tif 000002
【特許請求の範囲】
【請求項１】
コピー機能に、スキャナ機能、ファクス機能、プリンタ機能のいずれかを拡張できる複合機において、拡張機能の名称が印刷され、各機能を起動するための操作キーを、前記拡張機能に応じて操作手段に取り付けられるように構成したことを特徴とする複合機。
【請求項２】
請求項１記載の複合機において、前記操作キーを取り付けることによって設定される機能を表示する表示手段を備えていることを特徴とする複合機。
【発明の詳細な説明】
【技術分野】
【０００１】
本発明は、コピー機能をベースにスキャナ機能、ファクス機能、プリンタ機能を拡張することができる複合機に関する。
【背景技術】
【０００２】
コピー機をベースに、スキャナ機能、ファクス機能を拡張することができるとともに、操作パネル上には各機能を起動するためのアプリキー（ハードキー）を備え、スキャナ機能とファクス機能は１つのアプリキーによって起動することができる複合機が知られている。なお、先行文献としては特許文献１、２等がある。
【特許文献１】特開２００３−１７９７１８公報
【特許文献２】特開２００４−７２７８１公報
【発明の開示】
【発明が解決しようとする課題】
【０００３】
しかしながら、従来の複合機においては、例えばスキャナ、ファクス、スキャナ／ファクス等の機能拡張の形態が変わっても、拡張される機能名称が印刷されたアプリキーが同じであると、ユーザーにとってはどの機能が拡張されているのか分かりにくいという不具合があった。
また、同じく機能拡張の形態が変わっても、操作パネル上で表示される機能名称が同じであると、ユーザーにとってはどの機能が拡張されているのか分かりにくいという不具合があった。
更に拡張される機能名称が印刷されたアプリキーと操作パネル上で表示される機能名称が一致していないと、ユーザーにとってはどの機能が拡張されているのか分かりにくいという不具合があった。
そこで、本発明は拡張されている機能を正確に把握することができる複合機を提供することを目的とする。
【課題を解決するための手段】
【０００４】
上記目的を達成するために、請求項１記載の発明は、コピー機能に、スキャナ機能、ファクス機能、プリンタ機能のいずれかを拡張できる複合機において、拡張機能の名称が印刷され、各機能を起動するための操作キーを、前記拡張機能に応じて操作手段に取り付けられるように構成したことを特徴とする。
請求項２記載の発明は、請求項１記載の複合機において、前記操作キーを取り付けることによって設定される機能を表示する表示手段を備えていることを特徴とする。
【発明の効果】
【０００５】
本発明によれば、コピー機能に、スキャナ機能、ファクス機能、プリンタ機能のいずれかを拡張できる複合機において、拡張機能の名称が印刷され、各機能を起動するための操作キーを、前記拡張機能に応じて操作手段に取り付けられるように構成したことで、ユーザーは拡張されている機能を正確に把握することができる。
また、表示手段に操作キーを取り付けることによって設定される機能を表示することで、ユーザーは拡張されている機能を正確に把握することができる。
【発明を実施するための最良の形態】
【０００６】
以下、本発明の実施の形態を図面に従って説明する。
図１は本発明の実施形態に係る複合機の機能ブロック図である。なお、本実施の形態の複合機は、コピー、スキャナ、ファクス、プリンタの各機能を有するものとして説明する。
ＣＰＵ１、ＲＯＭ２、ＲＡＭ３、操作・表示部５は、全てのアプリにおいて共通に必要となる。符号化復号化部４はスキャナ、ファクスに必要となる。ＨＤＤ６は、コピー、スキャナ、ファクスに必要となる。ファクスユニット７を構成するモデム８、ＮＣＵ９はファクス機能特有のものである。ＮＩＣ１０はＬＡＮ経由のスキャナ、プリンタ、ファクスのうちインナーネットファクスに必要となる。スキャナ１１は、コピー、スキャナ、ファクスに必要となる。プロッタ１２は、コピー、ファクス、プリンタに必要となる。上記各ユニットはＣＰＵバス１３で接続されている。
機能拡張、例えばファクス機能は、モデム８とＮＣＵがファクスユニットとして増設されることで達成される。また、操作・表示部５に、それぞれ対応する操作キー（最初にどの機能を起動するかを選択するためのアプリキー：コピー、スキャナ／ファクス、プリンタ）が増設される。各機能のプログラムは最初からＲＯＭの中に入っていてもよく、適切なユニットを検知したら該当する機能が使えるような構成でもよい。
【０００７】
図２は操作・表示部のレイアウト図である。
画面はタッチパネル２０により構成され、右側にテンキー２１、スタートキー２２、ストップキー２３等が配置される。左側は初期設定キー２４と各アプリ起動キー２５〜２７が配置される。最小限の構成ではコピー機能のみが提供されるので、スキャナ／ファクスキー２６やプリンタキー２７は具備されず、後で追加可能な構成としている。
図３はスキャナ／ファクスキー、スキャナキー、ファクスキーの説明図である。
拡張形態によって、スキャナ機能のみ拡張、ファクス機能のみ拡張、スキャナ、ファクス機能両方とも拡張の３種類がある。そこで、それらの形態に対応するキー、スキャナキー２８、ファクスキー２９、スキャナ／ファクスキー２６を用意し、操作・表示部５に取り付ける時に、足の長さによってスイッチがＯＮ／ＯＦＦするような仕組みとし、どのキーが装着されたか電気的に区別できるようにしている。
【０００８】
図４はアプリ登録フローチャートである。まず電源ＯＮでプログラムが立ち上がるとアプリ登録を管理プログラムに対して行う。プログラム自体が拡張されていて各アプリが立ち上がればアプリ登録され（Ｓ１でＹ、Ｓ３でＹ、Ｓ５でＹ）、登録されたアプリは「有り」状態となる（Ｓ２、Ｓ４、Ｓ６）。
また、図３に示すキーのうち、どのキーが装着されたかによって、それぞれ対応するアプリが「有り」状態となる。
図５は初期設定の中の優先アプリ設定フローチャートである。
優先アプリとは、操作をリセットキーでリセットしたり、タイムアウトで初期画面に戻る場合に、初期画面として表示されるアプリのことである。この場合アプリキーに対応した名称がタッチパネル２０に表示されることが望ましい。
図２の操作・表示部５は、スキャナ／ファクス、プリンタが拡張されており、優先アプリとしてもそれらが選べるようになっている例である。前述の各アプリの「有り」状態を判断し、対応するアプリ名称を表示する。
即ち、優先アプリ設定がなされていて（Ｓ１１でＹ）、ファクス機能あり（Ｓ１２でＹ）、スキャナ機能なし（Ｓ１３でＮ）であれば、コピー機能とファクス機能のみタッチパネル２０に表示する。ファクス機能あり（Ｓ１２でＹ）、スキャナ機能あり（Ｓ１３でＹ）であれば、コピー機能とファクス機能とファクス機能をタッチパネル２０に表示する。
ファクス機能なし（Ｓ１２でＮ）、スキャナ機能なし（Ｓ１６でＮ）であれば、コピー機能のみタッチパネル２０に表示する。ファクス機能なし（Ｓ１２でＮ）、スキャナ機能あり（Ｓ１６でＹ）であれば、コピー機能とスキャナ機能のみタッチパネル２０に表示する。
【図面の簡単な説明】
【０００９】
【図１】本発明の実施形態に係る複合機の機能ブロック図である。
【図２】操作・表示部のレイアウト図である。
【図３】スキャナ／ファクスキー、スキャナキー、ファクスキーの説明図である。
【図４】アプリ登録フローチャートである。
【図５】初期設定の中の優先アプリ設定フローチャートである。
【符号の説明】
【００１０】
５  操作・表示部、２５〜２９  アプリキー
【図１】
2006229716.tif 000003
【図２】
2006229716.tif 000004
【図３】
2006229716.tif 000005
【図４】
2006229716.tif 000006
【図５】
2006229716.tif 000007